(57)【要約】【課題】  配信希望を受け付ける際、利用者の配信先情報を広告主又は店主又は展示主へ開示することを承諾又は拒否の意志表示を利用者に選択させることで、個人情報の漏洩防止を利用者側に明確化するとともに開示を承諾した際には広告主から直接情報配信を受けることができるようにする。【解決手段】  事前に登録した利用者の配信先情報を広告主へ開示することを承諾する開示承諾又は開示拒否の意志表示を入力する入力手段を情報配信受付手段に備え、前記入力手段で利用者に配信先情報の開示可否を選択させ、開示承諾が選択された場合は情報配信業者の処理コンピュータは利用者の登録した配信先情報を広告主へ通知し、情報配信業者又は広告主は前記広告の関連情報を利用者の登録した配信先に配信し、配信先情報の開示拒否が選択された場合は情報配信業者のみが前記広告の関連情報を利用者に配信する。【選択図】図１  
2005222394.tif 000002
【特許請求の範囲】
【請求項１】
情報配信業者の情報配信処理を行う処理コンピュータに情報を受け取る利用者の識別情報と配信先情報を秘密保持状態で且つ関連付けて登録し、同情報配信業者が提携した広告主の広告を表記又は表示した広告媒体を設け、同広告媒体に利用者の操作で広告の関連情報の配信希望を受け付ける情報配信受付手段を備え、広告媒体の広告内容を見て興味を持った前記利用者の操作により広告の関連情報の配信希望を前記情報配信受付手段で受け付け、同情報配信受付手段からの配信希望の入力に基づいて情報配信業者の処理コンピュータは前記配信希望の広告の関連情報を配信するようにした情報配信方法であって、事前に登録した利用者の配信先情報を広告主へ開示することを承諾する開示承諾又は開示拒否の意志表示を入力する入力手段を情報配信受付手段に備え、同情報配信受付手段で配信希望を受け付ける際、前記入力手段で利用者に配信先情報の開示可否を選択させ、開示承諾が選択された場合は情報配信業者の処理コンピュータは利用者の登録した配信先情報を広告主へ通知し、情報配信業者又は広告主は前記広告の関連情報を利用者の登録した配信先に配信し、配信先情報の開示拒否が選択された場合は情報配信業者のみが前記広告の関連情報を利用者に配信するようにしたことを特徴とする情報配信方法。
【請求項２】
情報配信受付手段は情報配信業者の処理コンピュータと有線又は無線で接続した非接触型のＩＣカードリーダを備え、情報配信業者は登録した利用者に識別情報が格納されたＩＣカードを発行するか又は利用者が所有するＩＣカードを活用し、利用者がＩＣカードを前記ＩＣカードリーダの読み取り位置に近接させるとＩＣカードリーダは読み取った識別情報を処理コンピュータに送信し、同処理コンピュータはその識別情報に対応する配信先情報を検索してその配信先に広告の関連情報を配信するようにした請求項１記載の情報配信方法。
【請求項３】
広告媒体にＩＣカードリーダの読み取り位置を示した枠線とその近辺にＩＣカードの近接を指示する指示文を並記した請求項２記載の情報配信方法。
【請求項４】
広告媒体が広告を表記したシート又はボードである請求項１〜３いずれか記載の情報配信方法。
【請求項５】
広告媒体が広告を表示するディスプレイ装置である請求項１〜３いずれか記載の情報配信方法。
【請求項６】
広告媒体に複数の異なる広告を表記又は表示し、各広告の配信希望を選択できるスイッチを備えた請求項４又は５記載の情報配信方法。
【請求項７】
広告媒体が複数の商品見本を収容したショーウインドウで、収容された各商品見本に近接するショーウインドウ位置に情報配信受付手段をそれぞれ備えた請求項１〜３いずれか記載の情報配信方法。
【請求項８】
入力手段が、広告媒体に利用者の配信先情報を広告主へ開示することを承諾する意志表示を選択できるスイッチを備えたものである請求項１〜７いずれか記載の情報配信方法。
【請求項９】
広告媒体に複数用意した異なる形態の関連情報を選択できるスイッチを備えた請求項１〜８いずれか記載の情報配信方法。
【請求項１０】
広告媒体に複数の異なる配信方法を選択できるスイッチを備えた請求項１〜９いずれか記載の情報配信方法。
【請求項１１】
広告媒体に所定の音声や音楽を流すスピーカーを備えた請求項１〜１０いずれか記載の情報配信方法。
【請求項１２】
広告媒体に情報配信業者が提供する情報配信サービスの利用方法を表記又は表示した請求項１〜１１いずれか記載の情報配信方法。
【請求項１３】
情報配信業者の情報配信処理を行う処理コンピュータに情報を受け取る利用者の識別情報と配信先情報を秘密保持状態で且つ関連付けて登録し、同情報配信業者が提携した店主の商品を陳列した商品陳列棚を設け、同商品陳列棚に利用者の操作で商品の関連情報の配信希望を受け付ける情報配信受付手段を備え、商品陳列棚の商品を見て興味を持った前記利用者の操作により商品の関連情報の配信希望を前記情報配信受付手段で受け付け、同情報配信受付手段からの配信希望の入力に基づいて情報配信業者の処理コンピュータは前記配信希望の商品の関連情報を配信するようにした情報配信方法であって、事前に登録した利用者の配信先情報を店主へ開示することを承諾する開示承諾又は開示拒否の意志表示を入力する入力手段を情報配信受付手段に備え、同情報配信受付手段で配信希望を受け付ける際、前記入力手段で利用者に配信先情報の開示可否を選択させ、開示承諾が選択された場合は情報配信業者の処理コンピュータは利用者の登録した配信先情報を店主へ通知し、情報配信業者又は店主は前記商品の関連情報を利用者の登録した配信先に配信し、配信先情報の開示拒否が選択された場合は情報配信業者のみが前記商品の関連情報を利用者に配信するようにしたことを特徴とする情報配信方法。
【請求項１４】
情報配信受付手段は情報配信業者の処理コンピュータと有線又は無線で接続した非接触型のＩＣカードリーダを備え、情報配信業者は登録した利用者に識別情報が格納されたＩＣカードを発行するか又は利用者が所有するＩＣカードを活用し、利用者がＩＣカードを前記ＩＣカードリーダの読み取り位置に近接させるとＩＣカードリーダは読み取った識別情報を処理コンピュータに送信し、同処理コンピュータはその識別情報に対応する配信先情報を検索してその配信先に商品の関連情報を配信するようにした請求項１３記載の情報配信方法。
【請求項１５】
商品陳列棚にＩＣカードリーダの読み取り位置を示した枠線とその近辺にＩＣカードの近接を支持する指示文を並記した請求項１４記載の情報配信方法。
【請求項１６】
商品陳列棚に複数の異なる商品を陳列し、各商品に近接する商品陳列棚位置に情報配信受付手段をそれぞれ備えた請求項１３〜１５いずれか記載の情報配信方法。
【請求項１７】
商品陳列棚に利用者の配信先情報を店主へ開示することを承諾する意志表示を選択できるスイッチを備えた請求項１３〜１６いずれか記載の情報配信方法。
【請求項１８】
商品陳列棚に複数用意した異なる形態の関連情報を選択できるスイッチを備えた請求項１３〜１７いずれか記載の情報配信方法。
【請求項１９】
商品陳列棚に予め利用者が登録しておいた複数の異なる配信先情報を選択できるスイッチを備えた請求項１３〜１８いずれか記載の情報配信方法。
【請求項２０】
商品陳列棚に所定の音声や音楽を流すスピーカーを備えた請求項１３〜１９いずれか記載の情報配信方法。
【請求項２１】
商品陳列棚に情報配信業者が提供する情報配信サービスの利用方法を表記した請求項１３〜２０いずれか記載の情報配信方法。
【請求項２２】
情報配信業者の情報配信処理を行う処理コンピュータに情報を受け取る利用者の識別情報と配信先情報を秘密保持状態で且つ関連付けて登録し、同情報配信業者が提携した展示主の物品を展示した展示棚を設け、同展示棚に利用者の操作で物品の関連情報の配信希望を受け付ける情報配信受付手段を備え、展示棚の物品を見て興味を持った前記利用者の操作により物品の関連情報の配信希望を前記情報配信受付手段で受け付け、同情報配信受付手段からの配信希望の入力に基づいて情報配信業者の処理コンピュータは前記配信希望の物品の関連情報を配信するようにした情報配信方法であって、事前に登録した利用者の配信先情報を展示主へ開示することを承諾する開示承諾又は開示拒否の意志表示を入力する入力手段を情報配信受付手段に備え、同情報配信受付手段で配信希望を受け付ける際、前記入力手段で利用者に配信先情報の開示可否を選択させ、開示承諾が選択された場合は情報配信業者の処理コンピュータは利用者の登録した配信先情報を展示主へ通知し、情報配信業者又は展示主は前記物品の関連情報を利用者の登録した配信先に配信し、配信先情報の開示拒否が選択された場合は情報配信業者のみが前記物品の関連情報を利用者に配信するようにしたことを特徴とする情報配信方法。
【請求項２３】
情報配信受付手段は情報配信業者の処理コンピュータと有線又は無線で接続した非接触型のＩＣカードリーダを備え、情報配信業者は登録した利用者に識別情報が格納されたＩＣカードを発行するか又は利用者が所有するＩＣカードを活用し、利用者がＩＣカードを前記ＩＣカードリーダの読み取り位置に近接させるとＩＣカードリーダは読み取った識別情報を処理コンピュータに送信し、同処理コンピュータはその識別情報に対応する配信先情報を検索してその配信先に物品の関連情報を配信するようにした請求項２２記載の情報配信方法。
【請求項２４】
展示棚にＩＣカードリーダの読み取り位置を示した枠線とその近辺にＩＣカードの近接を支持する指示文を並記した請求項２３記載の情報配信方法。
【請求項２５】
展示棚に複数の異なる物品を展示し、各物品に近接する展示棚位置に情報配信受付手段をそれぞれ備えた請求項２２〜２４いずれか記載の情報配信方法。
【請求項２６】
展示棚に利用者の配信先情報を展示主へ開示することを承諾する意志表示を選択できるスイッチを備えた請求項２２〜２５いずれか記載の情報配信方法。
【請求項２７】
展示棚に複数用意した異なる形態の関連情報を選択できるスイッチを備えた請求項２２〜２６いずれか記載の情報配信方法。
【請求項２８】
展示棚に予め利用者が登録しておいた複数の異なる配信先情報を選択できるスイッチを備えた請求項２２〜２７いずれか記載の情報配信方法。
【請求項２９】
展示棚に所定の音声や音楽を流すスピーカーを備えた請求項２２〜２８いずれか記載の情報配信方法。
【請求項３０】
展示棚に情報配信業者が提供する情報配信サービスの利用方法を表記した請求項２２〜２９いずれか記載の情報配信方法。
【請求項３１】
展示棚が博物館・資料館・イベント会場に配置されるものである請求項２２〜３０いずれか記載の情報配信方法。
【請求項３２】
配信先情報が、電子メールアドレス・ファクシミリ番号・住所である請求項１〜３１いずれか移載の情報配信方法。
【発明の詳細な説明】
【技術分野】
【０００１】
本発明は、広告媒体の広告内容又は商品陳列棚の商品見本あるいは展示棚の物品を見て興味を持った利用者からその関連情報の配信希望を受け付け、利用者が求める形態・配信手段で関連情報を配信する情報配信方法に関する。
【背景技術】
【０００２】
従来、宣伝広告等の情報を希望した利用者へ配信する情報配信技術が特許文献１に開示されている。この技術は、広告媒体に広告主と提携した情報配信業者の処理コンピュータに非接触型のＩＣカードリーダを設け、情報配信業者は配信利用の申込みをした利用者に対して利用者の識別情報が格納されたＩＣカードを発行するとともに利用者の配信先情報を含む個人情報を処理コンピュータに格納し、利用者がＩＣカードを前記ＩＣカードリーダの読み取り位置に近接するとＩＣカードリーダは読み取った識別情報を処理コンピュータに送信し、同処理コンピュータはその識別情報に対応する配信先情報を検索して希望する関連情報を配信するようにしたものである。
【０００３】
ところで、前記のような技術はいわゆる承諾広告であり、配信を受けた利用者は従来の未承諾広告のように不快感を伴うことなく希望する情報のみを受け取ることができ、広告主も求める人に対して情報を確実且つ効率良く提供でき、レスポンス率を向上できる効果がある。しかしながら、利用者が情報配信サービスに会員登録する際、登録した個人情報をどのように取り扱うか明確な取り決めが成されておらず、個人情報が漏洩して見知らぬところから意図しない情報が配信されて不快感を伴うことがあり、利用者もそのような事態を危惧して会員登録を敬遠してしまう問題があった。一方、積極的に個人情報を広告主へ開示して興味ある情報の配信を多数希望する利用者も存在し、前記のような技術では希望する度にＩＣカードを近接させるか又は直接広告主へ連絡することとなり、使い勝手に劣る問題もあった。
【特許文献１】特開２００３−３０８２６７号公報
【発明の開示】
【発明が解決しようとする課題】
【０００４】
本発明が解決しようとする課題は、従来のこれらの問題点を解消し、配信希望を受け付ける際、利用者の配信先情報を広告主又は店主又は展示主へ開示することを承諾又は拒否の意志表示を利用者に選択させることで、個人情報の漏洩防止を利用者側に明確化するとともに開示を承諾した際には広告主又は店主又は展示主から直接情報配信を受けることができるようにする情報配信方法を提供することにある。
【課題を解決するための手段】
【０００５】
かかる課題を解決した本発明の構成は、
１）  情報配信業者の情報配信処理を行う処理コンピュータに情報を受け取る利用者の識別情報と配信先情報を秘密保持状態で且つ関連付けて登録し、同情報配信業者が提携した広告主の広告を表記又は表示した広告媒体を設け、同広告媒体に利用者の操作で広告の関連情報の配信希望を受け付ける情報配信受付手段を備え、広告媒体の広告内容を見て興味を持った前記利用者の操作により広告の関連情報の配信希望を前記情報配信受付手段で受け付け、同情報配信受付手段からの配信希望の入力に基づいて情報配信業者の処理コンピュータは前記配信希望の広告の関連情報を配信するようにした情報配信方法であって、事前に登録した利用者の配信先情報を広告主へ開示することを承諾する開示承諾又は開示拒否の意志表示を入力する入力手段を情報配信受付手段に備え、同情報配信受付手段で配信希望を受け付ける際、前記入力手段で利用者に配信先情報の開示可否を選択させ、開示承諾が選択された場合は情報配信業者の処理コンピュータは利用者の登録した配信先情報を広告主へ通知し、情報配信業者又は広告主は前記広告の関連情報を利用者の登録した配信先に配信し、配信先情報の開示拒否が選択された場合は情報配信業者のみが前記広告の関連情報を利用者に配信するようにしたことを特徴とする情報配信方法
２）  情報配信受付手段は情報配信業者の処理コンピュータと有線又は無線で接続した非接触型のＩＣカードリーダを備え、情報配信業者は登録した利用者に識別情報が格納されたＩＣカードを発行するか又は利用者が所有するＩＣカードを活用し、利用者がＩＣカードを前記ＩＣカードリーダの読み取り位置に近接させるとＩＣカードリーダは読み取った識別情報を処理コンピュータに送信し、同処理コンピュータはその識別情報に対応する配信先情報を検索してその配信先に広告の関連情報を配信するようにした前記１）記載の情報配信方法
３）  広告媒体にＩＣカードリーダの読み取り位置を示した枠線とその近辺にＩＣカードの近接を指示する指示文を並記した前記２）記載の情報配信方法
４）  広告媒体が広告を表記したシート又はボードである前記１）〜３）いずれか記載の情報配信方法
５）  広告媒体が広告を表示するディスプレイ装置である前記１）〜３）いずれか記載の情報配信方法
６）  広告媒体に複数の異なる広告を表記又は表示し、各広告の配信希望を選択できるスイッチを備えた前記４）又は５）記載の情報配信方法
７）  広告媒体が複数の商品見本を収容したショーウインドウで、収容された各商品見本に近接するショーウインドウ位置に情報配信受付手段をそれぞれ備えた前記１）〜３）いずれか記載の情報配信方法
８）  入力手段が、広告媒体に利用者の配信先情報を広告主へ開示することを承諾する意志表示を選択できるスイッチを備えたものである前記１）〜７）いずれか記載の情報配信方法
９）  広告媒体に複数用意した異なる形態の関連情報を選択できるスイッチを備えた前記１）〜８）いずれか記載の情報配信方法
１０）  広告媒体に複数の異なる配信方法を選択できるスイッチを備えた前記１）〜９）いずれか記載の情報配信方法
１１）  広告媒体に所定の音声や音楽を流すスピーカーを備えた前記１）〜１０）いずれか記載の情報配信方法
１２）  広告媒体に情報配信業者が提供する情報配信サービスの利用方法を表記又は表示した前記１）〜１１）いずれか記載の情報配信方法
１３）  情報配信業者の情報配信処理を行う処理コンピュータに情報を受け取る利用者の識別情報と配信先情報を秘密保持状態で且つ関連付けて登録し、同情報配信業者が提携した店主の商品を陳列した商品陳列棚を設け、同商品陳列棚に利用者の操作で商品の関連情報の配信希望を受け付ける情報配信受付手段を備え、商品陳列棚の商品を見て興味を持った前記利用者の操作により商品の関連情報の配信希望を前記情報配信受付手段で受け付け、同情報配信受付手段からの配信希望の入力に基づいて情報配信業者の処理コンピュータは前記配信希望の商品の関連情報を配信するようにした情報配信方法であって、事前に登録した利用者の配信先情報を店主へ開示することを承諾する開示承諾又は開示拒否の意志表示を入力する入力手段を情報配信受付手段に備え、同情報配信受付手段で配信希望を受け付ける際、前記入力手段で利用者に配信先情報の開示可否を選択させ、開示承諾が選択された場合は情報配信業者の処理コンピュータは利用者の登録した配信先情報を店主へ通知し、情報配信業者又は店主は前記商品の関連情報を利用者の登録した配信先に配信し、配信先情報の開示拒否が選択された場合は情報配信業者のみが前記商品の関連情報を利用者に配信するようにしたことを特徴とする情報配信方法
１４）  情報配信受付手段は情報配信業者の処理コンピュータと有線又は無線で接続した非接触型のＩＣカードリーダを備え、情報配信業者は登録した利用者に識別情報が格納されたＩＣカードを発行するか又は利用者が所有するＩＣカードを活用し、利用者がＩＣカードを前記ＩＣカードリーダの読み取り位置に近接させるとＩＣカードリーダは読み取った識別情報を処理コンピュータに送信し、同処理コンピュータはその識別情報に対応する配信先情報を検索してその配信先に商品の関連情報を配信するようにした前記１３）記載の情報配信方法
１５）  商品陳列棚にＩＣカードリーダの読み取り位置を示した枠線とその近辺にＩＣカードの近接を支持する指示文を並記した前記１４）記載の情報配信方法
１６）  商品陳列棚に複数の異なる商品を陳列し、各商品に近接する商品陳列棚位置に情報配信受付手段をそれぞれ備えた前記１３）〜１５）いずれか記載の情報配信方法
１７）  商品陳列棚に利用者の配信先情報を店主へ開示することを承諾する意志表示を選択できるスイッチを備えた前記１３）〜１６）いずれか記載の情報配信方法
１８）  商品陳列棚に複数用意した異なる形態の関連情報を選択できるスイッチを備えた前記１３）〜１７）いずれか記載の情報配信方法
１９）  商品陳列棚に予め利用者が登録しておいた複数の異なる配信先情報を選択できるスイッチを備えた前記１３）〜１８）いずれか記載の情報配信方法
２０）  商品陳列棚に所定の音声や音楽を流すスピーカーを備えた前記１３）〜１９）いずれか記載の情報配信方法
２１）  商品陳列棚に情報配信業者が提供する情報配信サービスの利用方法を表記した前記１３）〜２０）いずれか記載の情報配信方法
２２）  情報配信業者の情報配信処理を行う処理コンピュータに情報を受け取る利用者の識別情報と配信先情報を秘密保持状態で且つ関連付けて登録し、同情報配信業者が提携した展示主の物品を展示した展示棚を設け、同展示棚に利用者の操作で物品の関連情報の配信希望を受け付ける情報配信受付手段を備え、展示棚の物品を見て興味を持った前記利用者の操作により物品の関連情報の配信希望を前記情報配信受付手段で受け付け、同情報配信受付手段からの配信希望の入力に基づいて情報配信業者の処理コンピュータは前記配信希望の物品の関連情報を配信するようにした情報配信方法であって、事前に登録した利用者の配信先情報を展示主へ開示することを承諾する開示承諾又は開示拒否の意志表示を入力する入力手段を情報配信受付手段に備え、同情報配信受付手段で配信希望を受け付ける際、前記入力手段で利用者に配信先情報の開示可否を選択させ、開示承諾が選択された場合は情報配信業者の処理コンピュータは利用者の登録した配信先情報を展示主へ通知し、情報配信業者又は展示主は前記物品の関連情報を利用者の登録した配信先に配信し、配信先情報の開示拒否が選択された場合は情報配信業者のみが前記物品の関連情報を利用者に配信するようにしたことを特徴とする情報配信方法
２３）  情報配信受付手段は情報配信業者の処理コンピュータと有線又は無線で接続した非接触型のＩＣカードリーダを備え、情報配信業者は登録した利用者に識別情報が格納されたＩＣカードを発行するか又は利用者が所有するＩＣカードを活用し、利用者がＩＣカードを前記ＩＣカードリーダの読み取り位置に近接させるとＩＣカードリーダは読み取った識別情報を処理コンピュータに送信し、同処理コンピュータはその識別情報に対応する配信先情報を検索してその配信先に物品の関連情報を配信するようにした前記２２）記載の情報配信方法
２４）  展示棚にＩＣカードリーダの読み取り位置を示した枠線とその近辺にＩＣカードの近接を支持する指示文を並記した前記２３）記載の情報配信方法
２５）  展示棚に複数の異なる物品を展示し、各物品に近接する展示棚位置に情報配信受付手段をそれぞれ備えた前記２２）〜２４）いずれか記載の情報配信方法
２６）  展示棚に利用者の配信先情報を展示主へ開示することを承諾する意志表示を選択できるスイッチを備えた前記２２）〜２５）いずれか記載の情報配信方法
２７）  展示棚に複数用意した異なる形態の関連情報を選択できるスイッチを備えた前記２２）〜２６）いずれか記載の情報配信方法
２８）  展示棚に予め利用者が登録しておいた複数の異なる配信先情報を選択できるスイッチを備えた前記２２）〜２７）いずれか記載の情報配信方法
２９）  展示棚に所定の音声や音楽を流すスピーカーを備えた前記２２）〜２８）いずれか記載の情報配信方法
３０）  展示棚に情報配信業者が提供する情報配信サービスの利用方法を表記した前記２２）〜２９）いずれか記載の情報配信方法
３１）  展示棚が博物館・資料館・イベント会場に配置されるものである前記２２）〜３０）いずれか記載の情報配信方法
３２）  配信先情報が、電子メールアドレス・ファクシミリ番号・住所である前記１）〜３１）いずれか移載の情報配信方法
にある。
【発明の効果】
【０００６】
本発明によれば、利用者の配信先情報の開示可否を利用者に選択させることで、開示拒否を選択した際は、個人情報の漏洩防止を利用者に明確に印象付けることができ、利用者も安心して会員登録をして配信依頼をするようになる。また、開示承諾を選択した際は、その後広告主又は店主又は展示主から興味ある多数の情報配信を直接受けることができ、その都度ＩＣカードを近接したり先方へ連絡することなく利便性に優れる情報配信サービスとなる。
【発明を実施するための最良の形態】
【０００７】
本発明の広告媒体としては、非接触型のＩＣカードとＩＣカードリーダ間を送受信する信号が透過できる厚さ５ｍｍ以内のボード状物やシート状物のもので、表面側の広告面は広告のポスターを任意のものに張り替え可能とし、広告面にはＩＣカードリーダの位置を示す枠線などを表記して近接面を認識させ易いようにする。
【０００８】
また、他の広告媒体としてはディスプレイ装置があり、ＣＲＴ（ブラウン管）や液晶パネルを用いたもので構成され、複数の広告見出しから任意の広告を選択表示できるようにタッチスクリーンや押しボタンを備えたものが望ましい。表示される広告面又はその周辺面にはＩＣカードリーダの読み取り位置を示す枠線などを表記して近接面を認識させ易いようにする。
【０００９】
さらに、他の広告媒体としてはショーウインドウがあり、長方形状のガラスケースに多数の異なる商品見本を収容して配置し、各商品見本の近接するケース外部位置にＩＣカードリーダをそれぞれ取り付ける。あるいは、商品見本毎に独立する小型のガラスケースを用いてもよい。このショーウインドウは広告媒体の他、実際に販売される商品を収容する商品陳列棚として用いることもあり、また博物館や資料館等で展示される物品を収容する展示棚として用いることもある。
【００１０】
ＩＣカードリーダは市販されているものが用いられ、ＲＳ−２３２ＣやＵＳＢ等の有線又は無線により情報配信業者の処理コンピュータと接続して信号を送信できるようにする。ＩＣカードは不揮発性のメモリを備えたもので、同メモリに利用者の識別情報が記憶される。以下、本発明の実施例を図面に基づいて具体的に説明する。
【実施例１】
【００１１】
図１〜２０に示す実施例は、広告主・商品販売店の店主・博物館の展示主と提携した情報配信業者が利用者提供用の情報を管理するとともに、前記各情報の配信受付をする情報配信受付装置を提携元の広告媒体・商品陳列棚・展示棚にそれぞれ設置し、事前に会員登録した利用者が情報配信受付装置を操作することで希望の各情報を配信できるようにした情報配信サービスの例である。
【００１２】
本実施例の図６〜９に示す情報配信受付装置１０は、縦横の寸法が４０ｃｍ×３０ｃｍで厚さ３ｍｍのポスター台１１の表面にＩＣカードリーダ１３の読み取り位置を示す枠線１２ａとその枠線１２ａ内へのＩＣカードＣの近接を指示する指示文１２ｂと情報配信サービスの利用方法についての案内文１２ｃと求める広告情報や受け取る情報の形態，その配信手段，広告主への配信先情報の開示の承諾又は拒否を選択できる選択タッチ部１２ｄが表記された広告ポスター１２を張り替え可能に取り付けている。
【００１３】
ポスター台１１の板面には、広告ポスター１２の選択タッチ部１２ｄに対応する位置にタッチを検出する薄型スイッチ１２ｅと薄型スピーカー１２ｆを取り付け、ポスター台１１の裏面の前記枠線１２ａの位置には非接触型のＩＣカードリーダ１３（商品名：ＲＣ−Ｓ３１０，ソニー株式会社製等）を取付ビス１３ａで取り付け、メモリーカード１４ａに格納された宣伝や案内の自動音声や音楽等の再生及びＩＣカードリーダ１３と各薄型スイッチ１２ｅを制御するコントロール装置１４を取付ビス１４ｂで取り付けている。また、コントロール装置１４は図示しない時計機能を有している。
【００１４】
図１０〜１２に示す情報配信受付装置２０は、ＣＲＴ画面２１と操作盤２２を備えており、複数の広告見出しを並記表示し、利用者が所望の見出しをテンキー２２ａで選択操作して任意の広告画面に切換又はスクロール表示したり、選択ボタン２２ｂで受け取る情報の形態，その配信手段，広告主への配信先情報の開示の承諾又は拒否を選択操作できるようになっている。
【００１５】
ＩＣカードリーダ２３（商品名：ＲＣ−Ｓ３１０，ソニー株式会社製等）は操作盤２２に内蔵されており、テンキー２２ａの隣接位置にＩＣカードリーダ２３の読み取り位置を示す枠線２２ｄとその枠線２２ｄ内へのＩＣカードＣの近接を指示する指示文２２ｅが表記されている。選択ボタン２２ｂは図１１に示すようにそれぞれに対応するパネル式の選択スイッチ部２２ｃで構成されており、質問の内容に応じて取り換え可能としている。
【００１６】
この情報配信受付装置２０内には、ＣＲＴ画面２１に複数の広告２１ａと情報配信サービスの利用方法についての案内文２１ｂを再生表示するＤＶＤプレーヤー（商品名：ＰＲＶ−Ｒ５５，パイオニア株式会社製等）からなる広告情報再生機２４と同広告情報再生機２４を制御する制御コンピュータ２５を内蔵している。また、制御コンピュータ２５は図示しない時計機能を有している。
【００１７】
図１３〜１６に示す情報配信受付装置３０は、長方形状のショーウインドウ３１に多数の異なる商品見本を収容配置し、その下部ケース３１ａ内の各商品見本の近接する位置にＩＣカードリーダ３２（商品名：ＲＣ−Ｓ３１０，ソニー株式会社製）をそれぞれ取り付け、スタンド３３ａで立設した操作盤３３と各ＩＣカードリーダ３２とを有線で接続し、同ＩＣカードリーダ３２と商品見本の情報ＩＤを出力する箱番号制御装置３５をそれぞれ取り付けている。
【００１８】
操作盤３３は、図１４，１５に示すようにＬ字状に屈曲した基盤３３ｂの正面にＩＣカードリーダ３２の読み取り位置を示す枠線３３ｃとその枠線３３ｃ内へのＩＣカードＣの近接を指示する指示文３３ｄと情報配信サービスの利用方法についての案内文３３ｅと求める情報や受け取る情報の形態，その配信手段，広告主への配信先情報の開示の承諾又は拒否などを選択できる選択タッチ部３３ｆを表記している。
【００１９】
また、選択タッチ部３３ｆに対応する位置にタッチを検出する薄型スイッチ３３ｇと薄型スピーカー３３ｈを取り付け、基盤３３ｂの裏面の前記枠線３３ｃの位置には非接触型のＩＣカードリーダ３２（商品名：ＲＣ−Ｓ３１０，ソニー株式会社製等）を取り付け、メモリーカード３４ａに格納された宣伝や案内の自動音声や音楽等の再生及びＩＣカードリーダ３２と各薄型スイッチ３３ｇを制御するコントロール装置３４を取り付けている。また、コントロール装置３４は図示しない時計機能を有している。
【００２０】
なお、この情報配信受付装置３０は操作盤３３の枠線３３ｃにＩＣカードＣをタッチするとショーウインドウ３１に収容した全ての商品見本について配信受付し、下部ケース３１ａのいずれかの枠線３２ａにタッチすると個別の商品見本について配信受付するように構成されている。
【００２１】
図１７に示すのは商品陳列棚及び物品の展示棚それぞれに用いられる情報配信受付装置４０（５０）であって、商品又は物品を個別に収容する小型のガラスケース４１（５１）を複数備え、前記ショーウインドウ３１と同じように下部ケース４１ａ（５１ａ）に図示しないＩＣカードリーダを内蔵するとともにその近接位置を示す枠線３２ａが表記されている。他の構造は前記情報配信受付装置３０と同様である。
【００２２】
情報配信業者の処理コンピュータ６０は、図２に示すようにＩＣカードＣのカードＩＤを受信する識別情報受信部６１ａと利用者データベース６１ｄ及び利用者ＩＤとカードＩＤを対応させたカードデータベース６１ｅを配信先検索部６１ｃで検索して受信したカードＩＤと照合する利用者確認部６１ｂと利用者データベース６１ｄから取得した配信先情報を配信先に設定する配信先設定部６１ｆと利用者の利用履歴を保存する受付データベース６１ｇとで構成された配信受付部６１を備え、設定した配信先情報に利用者が指定した各配信手段に対応する電子メール部６２ａとファクシミリ部６２ｂとプリンタ部６２ｃ（郵送用の書面印刷に用いる）とで構成された配信部６２を備え、利用者が個人情報の開示承諾をした際に提携先データベース６３ｂ内から提携先検索部６３ａで検索して提携先への通知先情報を取得する配信先情報開示部６３を備え、利用者の選択操作に基づいて配信されるべき各情報を格納した関連情報データベース６４ｂ及び各情報配信受付装置１０，２０，３０，４０，５０に付与したパネルＩＤと各情報ＩＤとを対応させた情報受付パネルデータベース６４ｃを関連情報検索部６４ａで検索して配信部６２に送信するとともに、各情報配信受付装置１０，２０，３０，４０，５０の設置場所や個人情報の開示可否のカウント数を情報受付パネル履歴６４ｄに保存する関連情報部６４を備えている。
【００２３】
情報配信業者は広告主・店主・展示主と提携し、各提携先の情報と各提携先から委託された利用者へ提供すべき関連情報とで提携先情報データベース６３ｂ及び関連情報データベース６４ｂをそれぞれ構築する。前記各情報配信受付装置１０，２０，３０，４０，５０は例えば駅や街頭，店舗，博物館等の所定位置に配置して図１に示すように情報配信業者の処理コンピュータ６０と接続し、各情報配信受付装置１０，２０，３０，４０，５０に有する個別のパネルＩＤと関連情報データベース６４ｂの各情報ＩＤとを関連付けて情報配信システムを構築する。
【００２４】
本実施例では、広告を表記した情報配信受付装置１０で配信を受ける場合について図１８〜２０のフローチャートに基づいて説明する。利用者は本実施例の情報配信サービスを含む様々なサービスを行っているサービス業者（情報配信業者）にサービスの利用申込をし、同サービス業者は会員登録をしてＩＣカードライタ６５（商品名：ＲＣ−Ｊ１Ｃ，ソニー株式会社製等）でＩＣカードＣのメモリ内にカードＩＤを書き込んで利用者に発行し、利用者はＩＣカードＣを用いてサービスを利用する。
【００２５】
ここで、本実施例の情報配信サービスはサービス業者が提供する本業サービスのオプションであり、利用者が情報配信サービスを受けるか否かはカード発行時又は発行後いずれの段階でも任意に利用申込ができるようになっている。
【００２６】
ここでは、利用者がカード発行時に情報配信サービスの利用申込も同時にしたものとし、サービス業者はその利用者の個人情報（利用者ＩＤ，氏名，電子メールアドレス，ファクシミリ番号，住所等）を処理コンピュータ６０に格納して利用者データベース６１ｄ及びカードデータベース６１ｅを構築する。
【００２７】
この際、サービス業者は少なくとも配信先の情報を入手できれば良いから、配信先の情報が例えば電子メールアドレスやファクシミリ番号であれば氏名・住所の開示まで求める必要はなく、この場合、図４に示すように利用者データベース６１ｄの氏名や住所の欄がブランクになることがある。また、個人情報の開示可否も予め初期設定しておくが、例えば初期設定が開示否でも利用時に開示可を選択することは可能である。
【００２８】
ＩＣカードＣを所持する会員の利用者が情報配信受付装置１０の広告ポスター１２を見て詳細な情報を希望する場合、指示文１２ｂに従いＩＣカードＣを枠線１２ａに囲まれた部分に１回タッチする。この際、利用者は選択タッチ部１２ｄでカテゴリーや欲しい情報の形態，配信手段，広告主への個人情報を開示承諾又は拒否などを選択しておく。ＩＣカードリーダ１３はＩＣカードＣのタッチを検出し、ＩＣカードＣのメモリ内に記憶されているカードＩＤを瞬時に読み出して前記選択タッチ部１２ｄの選択情報及び個人情報の開示可否の情報・日付時間情報とともに処理コンピュータ６０に送信する。
【００２９】
ここで、選択タッチ部１２ｄを押さないで直にＩＣカードＣをタッチした場合は、サービス業者が予め定めている所定の形態（概要が記された最低限の情報など），配信手段（電子メールアドレス優先など），広告主への個人情報の開示可否（利用申込時の初期設定など）で受け付けるようにしている。また、情報配信サービスの利用申込を事前にしていない場合でもこの段階では受け付ける。
【００３０】
なお、利用者が情報配信サービスの利用申込み時に例えば配信先の情報を電子メールアドレスのみ登録している際、それ以外の配信手段（例えば郵送など）を選択しても住所の情報がないため、強制的に電子メールアドレスに対して情報が配信されることとなる。
【００３１】
次に、処理コンピュータ６０は取得したカードＩＤでカードデータベース６１ｅを検索し、情報配信サービスの利用申込がされているか確認する。検索されたカードＩＤに利用者ＩＤが記録されていない場合は利用申込がされていない状態であり、サービス業者はその利用者に連絡をして情報配信サービスの利用申込をしてもらうように依頼し、利用者は一定期間の猶予中に会員登録の手続を行い、猶予期間が超過した場合は配信受付が失効される。
【００３２】
続いて、処理コンピュータ６０は広告主への個人情報の開示承諾の可否の処理をする。開示が承諾されている場合は取得した広告の情報ＩＤに基づいて広告主への通知先情報を提携先検索部６３ａで提携先データベース６３ｂから検索し、電子メール・ファクシミリ・郵送のいずれかの手段で利用者の配信先情報を広告主へ通知する。開示が拒否されている場合は広告主へ通知せずに次の情報配信処理へ移行する。
【００３３】
その後、処理コンピュータ６０は取得した利用者ＩＤから利用者データベース６１ｄ内の利用者の個人情報を検索し、また同時に取得した広告の情報ＩＤから関連情報データベース６４ｂ内の詳細情報を検索し、前記選択情報に従って電子メールアドレスを電子メール部６２ａで送信先に設定して前記詳細情報を求める形態で付して配信するか又はファクシミリ部６２ｂで送信又はプリンタ部６２ｃでプリンタ１００から出力して郵送し、利用者は所有するパーソナルコンピュータ７０又は携行する携帯電話機８０又はファクシミリ９０で受信、あるいは郵便物１０１を受け取り、詳細情報を見る。また、選択情報が無い場合は前述したようにサービス業者が予め定めている所定の形態，配信手段で配信する。
【００３４】
同時に利用者のサービス利用履歴が受付データベース６１ｇに記録されるとともに、情報配信受付装置１０の利用頻度や個人情報の開示可否のカウント数等が情報受付パネル履歴６４ｄに記録され、利用者の嗜好やニーズが分析されて今後の商品・サービス提供に生かされることとなる。
【００３５】
本実施例はこのように構成したから、ＩＣカードＣをタッチさせた利用者は広告の関連情報の配信を承諾したことになるから、配信を受けた人は不快感を伴うことなく希望する情報のみを受け取ることができ、広告主も情報を確実且つ効率的に提供してレスポンス率の向上を図ることができるようになる。また、広告主は個人情報を開示することを選択した利用者を自社の会員とすることができ、この広告以外の他の情報やクーポンなどの配信ができて大きなメリットがある。
【００３６】
また、利用者の個人情報の開示可否を利用者に選択させるようにしたから、開示拒否を選択した際は、個人情報の漏洩防止を利用者に明確に印象付けることができ、利用者も安心して会員登録をして配信依頼をするようになる。また、開示承諾を選択した際は、その後広告主から興味ある多数の情報配信を受けることができ、その都度ＩＣカードＣをタッチしたり広告主へ連絡することなく利便性に優れる情報配信サービスとなる。
【００３７】
なお、本実施例では情報配信受付装置１０を使用した情報配信について説明したが、他の情報配信受付装置２０，３０，４０，５０についても同様の流れで処理され、情報が配信される。
【産業上の利用可能性】
【００３８】
本発明の情報配信方法は、各種の商品，サービス，観光地，ホテル，飲食店，イベント，展示物その他様々な広告宣伝に応用でき、駅構内，街頭，店舗，イベント会場，博物館，資料館等において利用される。
【図面の簡単な説明】
【００３９】
【図１】実施例の情報配信システムの概念図である。
【図２】実施例の処理コンピュータの説明図である。
【図３】実施例の各データベースの説明図である。
【図４】実施例の各データベースの説明図である。
【図５】実施例の各データベースの説明図である。
【図６】実施例の広告媒体Ａである情報配信受付装置の正面図である。
【図７】実施例の広告媒体Ａである情報配信受付装置の広告ポスターを取り外した状態を示す説明図である。
【図８】実施例の広告媒体Ａである情報配信受付装置の背面図である。
【図９】実施例の広告媒体Ａである情報配信受付装置の側面図である。
【図１０】実施例の広告媒体Ｂである情報配信受付装置の正面図である。
【図１１】実施例の広告媒体Ｂである情報配信受付装置の操作盤の説明図である。
【図１２】実施例の広告媒体Ｂである情報配信受付装置の側面図である。
【図１３】実施例の広告媒体Ｃである情報配信受付装置の説明図である。
【図１４】実施例の広告媒体Ｃである情報配信受付装置の操作盤の説明図である。
【図１５】実施例の広告媒体Ｃである情報配信受付装置の操作盤の側面図である。
【図１６】実施例の広告媒体Ｃである情報配信受付装置のショーウインドウの下部ケースの説明図である。
【図１７】実施例の商品陳列棚及び展示棚である情報配信受付装置の説明図である。
【図１８】実施例の情報配信を示すフローチャートである。
【図１９】実施例の情報配信を示すフローチャートである。
【図２０】実施例の情報配信を示すフローチャートである。
【符号の説明】
【００４０】
１０  情報配信受付装置
１１  ポスター台
１１ａ  配線穴
１２  広告ポスター
１２ａ  枠線
１２ｂ  指示文
１２ｃ  案内文
１２ｄ  選択タッチ部
１２ｅ  薄型スイッチ
１２ｆ  薄型スピーカー
１２ｇ  配線
１３  ＩＣカードリーダ
１３ａ  取付ビス
１４  コントロール装置
１４ａ  メモリーカード
１４ｂ  取付ビス
２０  情報配信受付装置
２０ａ  スピーカー
２１  ＣＲＴ画面
２１ａ  広告
２１ｂ  案内文
２２  操作盤
２２ａ  テンキー
２２ｂ  選択ボタン
２２ｃ  選択スイッチ部
２２ｄ  枠線
２３  ＩＣカードリーダ
２４  広告情報再生機
２５  制御コンピュータ
３０  情報配信受付装置
３１  ショーウインドウ
３１ａ  下部ケース
３２  ＩＣカードリーダ
３２ａ  枠線
３３  操作盤
３３ａ  スタンド
３３ｂ  基盤
３３ｃ  枠線
３３ｄ  指示文
３３ｅ  案内文
３３ｆ  選択タッチ部
３３ｇ  薄型スイッチ
３３ｈ  スピーカー
３４  コントロール装置
３４ａ  メモリーカード
３５  箱番号制御装置
４０  情報配信受付装置
４１  ガラスケース
４１ａ  下部ケース
５０  情報配信受付装置
５１  ガラスケース
５１ａ  下部ケース
６０  処理コンピュータ
６１  配信受付部
６１ａ  識別情報受信部
６１ｂ  利用者確認部
６１ｃ  配信先検索部
６１ｄ  利用者データベース
６１ｅ  カードデータベース
６１ｆ  配信先設定部
６１ｇ  受付データベース
６２  配信部
６２ａ  電子メール部
６２ｂ  ファクシミリ部
６２ｃ  プリンタ部
６３  配信先情報開示部
６３ａ  提携先検索部
６３ｂ  提携先データベース
６４  関連情報部
６４ａ  関連情報検索部
６４ｂ  関連情報データベース
６４ｃ  情報受付パネルデータベース
６４ｄ  情報受付パネル履歴
６５  ＩＣカードライタ
７０  パーソナルコンピュータ
８０  携帯電話機
９０  ファクシミリ
１００  プリンタ
１０１  郵便物
Ｃ  ＩＣカード
【図１】
2005222394.tif 000003
【図２】
2005222394.tif 000004
【図３】
2005222394.tif 000005
【図４】
2005222394.tif 000006
【図５】
2005222394.tif 000007
【図６】
2005222394.tif 000008
【図７】
2005222394.tif 000009
【図８】
2005222394.tif 000010
【図９】
2005222394.tif 000011
【図１０】
2005222394.tif 000012
【図１１】
2005222394.tif 000013
【図１２】
2005222394.tif 000014
【図１３】
2005222394.tif 000015
【図１４】
2005222394.tif 000016
【図１５】
2005222394.tif 000017
【図１６】
2005222394.tif 000018
【図１７】
2005222394.tif 000019
【図１８】
2005222394.tif 000020
【図１９】
2005222394.tif 000021
【図２０】
2005222394.tif 000022